(57)【要約】【課題】  頭髪を掻き分ける手間を省き、簡単かつ確実に生体表面と電極部とを接触させる。【解決手段】  生体信号検出電極５は、頭部に近接して設置可能な支持部材１３と、支持部材１３に支持され、頭部の表面に接触して頭部の電気信号を検出する電極部１５とを備え、電極部１５が、支持部材１３に、揺動可能に支持されている。【選択図】      図２
2005152415.tif 000002
【特許請求の範囲】
【請求項１】
頭部に近接して設置可能な支持部材と、
該支持部材に支持され、前記頭部の表面に接触して該頭部の電気信号を検出する電極部とを備え、
前記電極部が、支持部材に、揺動可能に支持されていることを特徴とする生体信号検出電極。
【請求項２】
前記支持部材に、前記電極部との間に介在して該電極部を支持する弾性部材が設けられていることを特徴とする請求項１に記載の生体信号検出電極。
【請求項３】
前記電極部に球状部が形成され、該球状部が、前記支持部材に接して回動自在に支持されていることを特徴とする請求項１に記載の生体信号検出電極。
【請求項４】
前記支持部材に、前記頭部に対して接近または離間する方向に移動可能に支持された移動部材と、
該移動部材の移動に応じて前記電極部を揺動させる揺動機構とを備える請求項１に記載の生体信号検出電極。
【請求項５】
前記電極部を付勢し所定の位置に回避させる付勢手段を備えることを特徴とする請求項４に記載の生体信号検出電極。
【請求項６】
頭部に近接して設置可能な支持部材と、
該支持部材に支持され、前記頭部の表面に接触して該頭部の電気信号を検出する電極部と、
該電極部の周囲に配置されて前記電極部の回りを回動可能に設けられた突出部とを備えることを特徴とする生体信号検出電極。
【請求項７】
前記支持部材に、前記頭部に対して接近または離間する方向に移動可能に支持された移動部材と、
該移動部材の移動に応じて前記突出部を回動させる回動機構とを備えることを特徴とする請求項６に記載の生体信号検出電極。
【請求項８】
前記電極部を前記頭部に向けて付勢する付勢部材を備えることを特徴とする請求項６または請求項７に記載の生体信号検出電極。
【請求項９】
請求項１から請求項８のいずれか１項に記載の生体信号検出電極と、
前記電極部を有し、前記頭部に装着される装着部材とを備えることを特徴とする生体信号検出装置。
【請求項１０】
頭部の表面に接触して該頭部の電気信号を検出する電極部と、
該電極部を有し、前記頭部に装着される装着部材と、
該装着部材を装着する向きの前記電極部より前方に配された突出部とを備えることを特徴とする生体信号検出装置。
【請求項１１】
頭部に近接して設置可能な支持部材と、
前記頭部の表面に接触して該頭部の電気信号を検出する電極部と、
前記支持部材と前記電極部との間に介在して前記電極部を支持する線状の可撓性部材とを備えることを特徴とする生体信号検出装置。
【請求項１２】
頭部に近接して設置可能な支持部材と、
前記頭部の表面に接触して該頭部の電気信号を検出する電極部と、
前記支持部材と前記電極部との間に介在して前記電極部を支持し、前記頭部に向けて前記電極部を付勢する弾性部材と、
前記電極部の回りに配置され、電解質液を浸潤されて弾性変形可能な多孔質部材とを備えることを特徴とする生体信号検出装置。
【発明の詳細な説明】
【技術分野】
【０００１】
本発明は、例えば脳波等の生体信号を検出するために、頭皮に接触して電気信号を検出する生体信号検出電極及びこれを用いた生体信号検出装置に関するものである。
【背景技術】
【０００２】
従来、生体信号検出装置としては、生体表面に接触し、生体から電気信号を検出する生体信号検出電極を備えたものが提案されている（例えば、特許文献１参照。）。
この特許文献１に記載の生体信号検出電極は、電極部が設けられたプラグ部とこのプラグ部が嵌合可能なリセプタクル部とにより形成されたコネクタ構造となっている。そして、脳波を検出する際、リセプタクル部を頭皮にセットした状態で、リセプクタル部にプラグ部を合わせ込むことにより、頭皮と電極部とを接触させて脳の神経細胞から出る弱い周期の電流すなわち脳波を電気的に検出するものである。
【特許文献１】特開２００２−１７７２３１号公報
【発明の開示】
【発明が解決しようとする課題】
【０００３】
上記従来の生体信号検出装置においては、生体信号検出電極を頭髪により覆われた頭皮に接触させる場合、単に電極を頭皮に近づけるだけでは、頭皮と電極部との間に頭髪が介在してしまうため、頭皮と電極部とを確実に接触させることが困難であった。そこで、事前に頭髪を掻き分けて頭皮を露出させたうえで、その箇所に電極を接触させていた。そのため、事前に頭髪を掻き分ける作業が手間となり、余計な手間がかかっていたので、検査に係る作業を繁雑にしていた。
本発明は上述した事情に鑑みてなされたものであって、掻き分ける手間を省き、簡単かつ確実に生体表面と電極部とを接触させることのできる生体信号検出電極及びこれを備えた生体信号検出装置を提供することを目的とする。
【課題を解決するための手段】
【０００４】
上記目的を達成するために、本発明は、以下の手段を提供する。
本発明の生体信号検出電極は、生体に近接して設置可能な支持部材と、該支持部材に支持され、前記生体の表面に接触して該生体の電気信号を検出する電極部とを備え、前記電極部が、支持部材に、揺動可能に支持されていることを特徴としている。
【０００５】
この発明によれば、頭髪に覆われた頭皮に電極部を近づけ、頭皮と電極部との間に頭髪が介在した状態で電極部を揺動させると、電極部の動きに伴って頭髪が掻き分けられ、頭皮が露出されて電極部と頭皮とが直に接触する。したがって、頭皮に電極部を近づける前に、事前に頭髪を掻き分ける作業が不要になり、余計な手間が解消されるので、検査に係る作業を簡略化することができる。
【０００６】
また、本発明の生体信号検出電極は、前記支持部材に、前記電極部との間に介在して該電極部を支持する弾性部材が設けられていることが好ましい。
この発明によれば、頭皮と電極部との間に頭髪が介在した状態で電極部を揺動させると、支持部材に設けられた弾性部材が弾性変形をするため、電極部があらゆる方向に揺動する。したがって、頭部の起伏に適合した状態で、頭皮と電極部とを接触させることができる。
【０００７】
また、本発明の生体信号検出電極は、前記電極部に球状部が形成され、該球状部が、前記支持部材に接して回動自在に支持されていることが好ましい。
この発明によれば、頭皮と電極部との間に頭髪が介在した状態で電極部を揺動させると、球状部が支持部材に接して回動する。したがって、電極部が支持部材に確実に保持された状態で髪の毛を掻き分けることができる。
【０００８】
また、本発明の生体信号検出電極は、前記支持部材に、前記頭部に対して接近または離間する方向に移動可能に支持された移動部材と、該移動部材の移動に応じて前記電極部を揺動させる揺動機構とを備えることが好ましい。
【０００９】
この発明によれば、頭皮と電極部との間に頭髪が介在した状態で、頭髪に覆われた頭皮に支持部材を近づけ、移動部材を頭皮に当接させた後もさらに支持部材を頭部に近づけると、移動部材が頭部に対して離間する方向に移動する。この移動に応じて揺動機構が電極部を揺動させ、頭髪が掻き分けられる。したがって、頭皮に支持部材を近づける動作を行うだけで頭髪が掻き分けられ、頭皮が露出されて電極部と頭皮とが直に接触することになり、さらに余計な手間が解消される。
【００１０】
また、本発明の生体信号検出電極は、前記電極部を付勢し所定の位置に回避させる付勢手段を備えるが好ましい。
この発明によれば、支持部材を頭部から遠ざける際、付勢部材が電極部を所定の位置に回帰させる。これにより、再び頭皮と電極部とを接触させる場合、電極部を所定の位置に回帰することになり、次の検査に係る作業の手間を省くことができる。
【００１１】
本発明の生体信号検出電極は、頭部に近接して設置可能な支持部材と、該支持部材に支持され、前記頭部の表面に接触して該頭部の電気信号を検出する電極部と、該電極部の周囲に配置されて前記電極部の回りを回動可能に設けられた突出部とを備えることが好ましい。
この発明によれば、頭部に支持部材を近づけて、電極部を頭部に接触させた後、突出部を回動させると、突出部が頭皮を覆った頭髪を掻き分ける。これにより、頭皮が露出し電極部と頭皮とが直に接触する。したがって、頭皮に電極部を近づける前に、事前に頭髪を掻き分ける作業が不要になり、余計な手間が解消される。
【００１２】
また、本発明の生体信号検出電極は、前記支持部材に、前記頭部に対して接近または離間する方向に移動可能に支持された移動部材と、該移動部材の移動に応じて前記突出部を回動させる回動機構とを備えることが好ましい。
この発明によれば、頭皮と電極部との間に頭髪が介在した状態で、頭髪に覆われた頭皮に支持部材を近づけ、移動部材を頭皮に当接させた後もさらに支持部材を頭部に近づけると、移動部材が頭部に対して離間する方向に移動する。この移動に応じて、回動機構が突出部を回動させ、頭髪を掻き分ける。したがって、支持部材を近づける動作を行うだけで頭髪が掻き分けられるため、突出部を回動させる手間が省け、さらに操作に係る作業を簡略化することができる。
【００１３】
また、本発明の生体信号検出電極は、前記電極部を前記頭部に向けて付勢する付勢部材を備えることが好ましい。
この発明によれば、支持部材を頭部に近づけ、電極部を頭部に接触させた後もさらに接近させると、付勢部材が付勢された状態で電極部が頭部に接触する。したがって、電極部は付勢部材の付勢力によって頭部に押し付けられることになり、頭部と電極部とを常に接触させた状態に保つことが可能となる。
【００１４】
本発明の生体信号検出装置は、上記本発明の生体信号検出電極と、前記電極部を有し、前記頭部に装着される装着部材とを備えることが好ましい。
この発明によれば、頭部に装着部材を取り付けるだけで、電気信号を取得できる状態に生体信号検出電極を頭部の所定の位置に保持できるため、生体信号検出電極の頭部への取り付け作業が容易となる。また、装着部材を頭部に取り付けた状態においては、生体信号検出電極を所定の位置に保持して、確実に頭皮と電極部とが接触しているため、頭部が動いても電気信号を安定して取得することが可能となる。
【００１５】
本発明の生体信号検出装置は、頭部の表面に接触して該頭部の電気信号を検出する電極部と、該電極部を有し、前記頭部に装着される装着部材と、該装着部材を装着する向きの前記電極部より前方に配された突出部とを備えることが好ましい。
この発明によれば、装着部材を頭部に取り付ける動作に伴って電極部より前方に配された突出部が頭髪を掻き分ける。したがって、装着部材を取り付ける動作を行うだけで頭髪が掻き分けられ、頭皮が露出されて電極部と頭皮とが直に接触することになり、さらに検査に係る作業を簡略化することができる。
【００１６】
本発明の生体信号検出装置は、頭部に近接して設置可能な支持部材と、前記頭部の表面に接触して該頭部の電気信号を検出する電極部と、前記支持部材と前記電極部との間に介在して前記電極部を支持する線状の可撓性部材とを備えることを特徴としている。
この発明によれば、支持部材を頭部に接近させて電極部を頭部に接触させ、さらに接近させると、線状の可撓性部材が撓み、可撓性部材に支持された電極部が頭部の間に分け入るようにさし込まれ、頭部に直に接する。したがって、頭皮に接した電極は、撓んだ可撓性部材の弾力によって頭皮に押し付けられることになり、さらに簡単な作業で電極部と頭皮とを直に接触させることが可能となる。
【００１７】
本発明の生体信号検出装置は、頭部に近接して設置可能な支持部材と、前記頭部の表面に接触して該頭部の電気信号を検出する電極部と、前記支持部材と前記電極部との間に介在して前記電極部を支持し、前記頭部に向けて前記電極部を付勢する弾性部材と、前記電極部の回りに配置され、電解質液を浸潤されて弾性変形可能な多孔質部材とを備えることを特徴としている。
【００１８】
この発明によれば、支持部材を頭部に接近させ、電解質液を浸潤させた多孔質部材ならびに電極部を頭部に接触させると、多孔質部材から電解質液が滲み出し、さらに支持部材を頭部に接近させると、弾性部材が弾発力を発揮し、弾性部材に支持された電極部が頭髪の間に分け入るようにさし込まれ、頭皮に直に接する。したがって、頭皮に接した電極部は、滲み出した電解質液によって頭皮との間で良好な導電性が確保されるとともに、弾性部材の弾発力によって頭皮に押し付けられることになり、確実に電極部と頭皮とを接触させることが可能となる。
【発明の効果】
【００１９】
本発明に係る生体信号検出電極及び生体信号検出装置によれば、事前に頭髪を掻き分ける作業が不要になるため、余計な手間を省くことができ、簡単かつ確実に生体表面と電極部とを接触させることが可能となる。
【発明を実施するための最良の形態】
【００２０】
以下、本発明の第１実施形態に係る生体信号検出装置について図１から図６を参照して説明する。
本実施形態に係る生体信号検出装置１は、脳内のニューロン活動によって生じる電気信号を検出するものである。この生体信号検出装置１は、図１に示すように、頭部（生体）Ｈに被せるヘルメット（装着部材）３と、このヘルメット３に着脱可能に備えられ分散配置された複数の生体信号検出電極５と、この生体信号検出電極５から出力された電気信号に基づいて脳波の計測を行う生体信号計測装置７とを備えている。また、各生体信号検出電極５及び生体信号計測装置７には、これらを電気的に接続するリード線９が設けられている。ここで、生体信号検出装置１から出力された電気信号は、生体信号検出電極５における電位の値を示している。
【００２１】
生体信号検出電極５は、図２に示すように、開口部１１を有しヘルメット３の所定部位に設けられた支持部材１３と、頭皮Ｈｓに接触して生体の電気信号を検出する電極部１５と、支持部材１３に、頭部Ｈに対して移動可能に支持された略角柱状の移動部材１７と、この移動部材１７の移動に応じて電極部１５を揺動させる揺動機構１９とを備えている。
【００２２】
移動部材１７は、頭皮Ｈｓに接触する接触部材２１と、この接触部材２１の一端に配され開口部１１に嵌合された状態で移動可能なＴ字部材２３とを備えている。この移動部材１７は、支持部材１３の厚さ方向（ＡＢ方向）すなわち頭部Ｈに対して接近（A方向）または離間（B方向）する方向に移動可能となっている。
揺動機構１９は、支持部材１３に固定され厚さ方向に直交する軸線L1を中心に回転可能な回転盤２５と、この回転盤２５の外周部に設けられたピニオンギア２５ａと、接触部材２１の長さ方向の一端に設けられたラックギア２１ａと、回転盤２５を付勢し所定の位置に回避させるコイルスプリング（付勢部材）２７とを備えている。
回転盤２５には、頭部Ｈに対向した位置に配された電極部１５と、この電極部１５の周囲に配され電極部１５の回りを回動可能な突出部２９とが設けられている。
【００２３】
ピニオンギア２５ａは、接触部材２１の近傍に配されており、ピニオンギア２５ａとラックギア２１ａとは噛み合わされた状態になっている。そして、接触部材２１は、支持部材１３によって矢印ＡＢ方向に直線的に往復移動可能に支持されるとともに、支持部材１３と接触部材２１との間に若干圧縮された状態で配されたコイルスプリング２７によってＡ方向に常時付勢された状態になっている。これにより、移動部材１７が矢印ＡＢ方向に直線移動すると、ラックギア２１ａに噛み合わされたピニオンギア２５ａが回転運動させられるようになっている。
【００２４】
次に、上記のように構成された生体信号検出装置１の使用方法について説明する。
まず、ヘルメット３を頭部Ｈに被せて各生体信号検出電極５の電極部１５を頭部Ｈに近接して対向させる。この状態においては、ヘルメット３が頭部Ｈに固定されると共に、各生体信号検出電極５が、頭皮Ｈｓに対向する位置に固定されることになる。
その後、移動部材１７を頭皮に当接させた後もさらにヘルメット３を頭部Ｈに近づけると、移動部材１７が矢印Ｂ方向に漸次直線移動させられ、Ｔ字部材２３が開口部１１から突出する。このとき、移動部材１７の移動に応じてラックギア２１ａに噛み合されたピニオンギア２５ａを介して回転盤２５が回転運動させられる。この回転運動により、突出部２９により頭髪が掻き分けられ、頭皮Ｈｓが露出されて電極部１５と頭皮Ｈｓとが直に接触する。そして、所定の検査を行った後、ヘルメット３を頭部Ｈから遠ざける際、コイルスプリング２７によって回転盤２５を元の位置に回避させる。
【００２５】
すなわち、本実施形態に係る生体信号検出装置１によれば、ヘルメット３を被る動作を行うだけで頭髪が掻き分けられる。したがって、頭皮Ｈｓに電極部１５を近づける前に、事前に頭髪を掻き分ける作業が不要になり、余計な手間が解消されるので、検査に係る作業を簡略化することができる。さらに、再び頭皮Ｈｓと電極部１５とを接触させる場合、電極部１５を元の位置に回帰することになり、次の検査に係る作業の手間を省くことができる。
【００２６】
なお、本実施形態において、生体信号検出電極５が、図３（ａ）に示すように、支持部材１３に、電極部１５との間に介在して電極部１５を支持する弾性部材３１を備えていても良い。この構成の場合には、頭皮Ｈｓと電極部１５との間に頭髪が介在した状態で電極部１５を揺動させると、支持部材１３に設けられた弾性部材１５が、図３（ｂ）に示すように、弾性変形をするため、電極部１５があらゆる方向に揺動する。あるいは、図４に示すように、弾性部材３１に電極部１５を貫通させた状態であっても良い。この構成の場合には、電極部１５を鎖線に示す位置まで揺動することができるため、頭部Ｈの起伏に適合した状態で、頭皮Ｈｓと電極部１５とを接触させることができる。
【００２７】
また、電極部１５が弾性部材３１に対して着脱可能であっても良く、電極部１５と弾性部材３１とが一体的に構成され支持部材１３に対して着脱可能であっても良い。これらの構成の場合には、電極部１５あるいは一体に構成された電極部１５と弾性部材３１とを使い捨てとして取り扱うことができるため、検査終了後に生体信号検出電極５を洗浄する必要がなくなるため、生体信号検出電極５を容易に取り扱うことが可能となる。
【００２８】
さらに、図５に示すように、１つの弾性部材３１に支持される電極部１５が複数であっても良い。このような構成にすることで、複数の電極部１５を揺動させ、一度に頭皮Ｈｓに接触する電極部１５の数を増やすことができるため、検査に係る作業の時間を短縮することが可能となる。
【００２９】
また、図６に示すように、電極部１５に球状部３３が形成され、この球状部３３が、支持部材１３に接して回動自在に支持されている構成であっても良い。このような構成にすることで、頭皮Ｈｓと電極部１５との間に頭髪が介在した状態で電極部１５を揺動させると、球状部３３が支持部材１３に接して回動する。したがって、電極部１５が支持部材１３に確実に保持された状態で頭髪を掻き分けることができる。この構成の場合には、蓋３５を設けることで、電極部１５のみを使い捨てとして取り扱うことも可能となる。
【００３０】
次に、本発明の第２実施形態に係る生体信号検出装置について図７を参照して説明する。なお、以下に説明する各実施形態において、上述した第１実施形態に係る生体信号検出装置１と構成を共通とする箇所には同一符号を付けて、説明を省略することにする。
本実施形態に係る生体信号検出電極４０において、生体信号検出電極５に設けられた揺動機構１９の構成について第１実施形態と異なっている。
【００３１】
揺動機構４１は、図７に示すように、支持部材１３に設けられた一対の凹部４３の内壁面４３ａと内壁面４３ｂとの間に配された一対の支持棒４５と、この支持棒４５に挿通された移動部材４７とを備えている。
移動部材４７と内壁面４３ａ及び内壁面４３ｂとの間にはコイルスプリング４９が若干圧縮された状態で配されており、電極部１５に力が加わっていない状態において、移動部材４７を支持棒４５の中間位置に保持するようになっている。これにより、移動部材４７がＡＢ方向及び移動部材４７の長さ方向（ＣＤ方向）に揺動可能になっている。
【００３２】
次に、上記のように構成された生体信号検出装置の使用方法について説明する。
第１実施形態と同様にして、頭部Ｈにヘルメット３を被せる。そして、頭皮Ｈｓと電極部１５との間に頭髪が介在した状態で回転盤２５をＡＢ方向及びＣＤ方向に揺動させると、コイルスプリング４９が弾性変形しながら、突出部２９が頭髪を掻き分け、頭皮Ｈｓが露出されて電極部１５と頭皮Ｈｓとが直に接触する。
【００３３】
すなわち、本実施形態に係る生体信号検出装置によれば、回転盤２５を頭部Ｈに接触させた後も、回転盤２５をＡＢ方向及びＣＤ方向に揺動させて、頭髪を掻き分けることができる。したがって、より確実に頭皮Ｈｓと電極部１５とを接触させることが可能になる。
【００３４】
次に、本発明の第３実施形態に係る生体信号検出装置について図８から図９を参照して説明する。本実施形態に係る生体信号検出装置は、生体信号検出電極５０の支持部材５１の形状と、移動部材１７及び揺動機構１９に代えて突出部を備える点において、第１実施形態と異なっている。
【００３５】
生体信号検出電極５０は、図８（ａ）に示すように、開口部５１ａに一定のリードのめねじ５２が形成された支持部材５１と、外周面にめねじ５２に螺合するおねじ５４が形成された移動部材５５と、電極部１５を頭部に向けて付勢するコイルスプリング（付勢部材）５６とを備えている。
移動部材５５は、図８（ｂ）に示すように、頭皮Ｈｓに対向する位置には突出部５７を有している。また、この移動部材５５は、めねじ５２及びおねじ５４により、電極部１５の回りを回動可能に設けられている。
【００３６】
次に、上記のように構成された生体信号検出装置の使用方法について説明する。
まず、第１実施形態と同様にして、頭部Ｈにヘルメット３を被せる。そして、頭皮Ｈｓと電極部１５との間に頭髪が介在した状態で移動部材５５を回動させることによって、ＡＢ方向に移動させ、移動部材５５の支持部材５１からの突出量を調整して、頭部Ｈの起伏に適合した状態にする。このとき、移動部材５５の回動によって、頭髪が掻き分けられ頭皮Ｈｓが露出し、図９に示すように、コイルスプリング５７が付勢された状態で、電極部１５と頭皮Ｈｓとが直に接触する。
【００３７】
すなわち、本実施形態に係る生体信号検出装置によれば、移動部材５５を回転させることによって、頭部Ｈに対する電極部１５の位置を変化させて、電極部１５の突出量を調整することができ、頭部Ｈの起伏に適合した状態にすることが可能となる。また、移動部材５５を回転させるだけで、頭髪を掻き分けるため、より簡易な動作で頭皮Ｈｓと電極部１５とを接触させることができる。
【００３８】
次に、本発明の第４実施形態に係る生体信号検出装置について図１０から図１２を参照して説明する。本実施形態に係る生体信号検出電極６０は、回転部材２５に代えて、第１の回転部材６１と第２の回転部材６２を有する回動機構６３を備える点において、第１実施形態と異なっている。
第１の回転部材６１は、図１０に示すように、接触部材２１に設けられたラックギア２１ａに噛み合うピニオン６１ａと、軸線L1回りに形成された第１のかさ歯車６１ｂとを備えている。この第１の回転部材６１は、軸線L1回りに回転可能となっている。
第２の回転部材６２は、第１のかさ歯車６１ｂにかみ合う第２のかさ歯車６２ａと、図１１に示すように、頭部Ｈに対向し軸線Ｌ１に直交した回転軸線Ｌ２上に配された電極部１５と、この電極部１５の半径方向に間隔を開けて配された円柱状の突出部６２ｂとを備えている。この第２の回転部材６２は、回転軸線Ｌ２回りに回転可能となっている。
【００３９】
次に、上記のように構成された生体信号検出装置の使用方法について説明する。
まず、頭部Ｈにヘルメット３を被せ、第１実施形態と同様にして接触部材２１を頭部Ｈに接触させると、Ｔ字部材２３が開口部１１から突出する。このとき、接触部材２１の移動に応じてラックギア２１ａに噛み合わされたピニオンギア６１ａを介して第１の回転部材６１が軸線L1回りに回転運動させられる。第１のかさ歯車６１ｂに第２のかさ歯車６２ａが噛み合っているため、この回転運動により、第２の回転部材６２が回転軸線Ｌ２回りに回転させられる。第２の回転部材６２の回転により、第２の回転部材６２に設けられた突出部６２ｂにより頭髪が掻き分けられ、頭皮Ｈｓが露出し電極部１５と頭皮Ｈｓとが直に接触する。
【００４０】
すなわち、本実施形態に係る生体信号検出装置によれば、頭皮Ｈｓにヘルメット３を被る動作を行うだけで頭髪が掻き分けられ、頭皮Ｈｓが露出されて電極部１５と頭皮Ｈｓとが直に接触する。したがって、頭皮Ｈｓに電極部１５を近づける前に、事前に頭髪を掻き分ける作業が不要になり、余計な手間が解消されるので、検査に係る作業を簡略化することができる。
なお、本実施形態において、円柱状の突出部６２ｂを用いたが、これに代えて、図１２に示すように、平板状の突出部６４であっても良い。
【００４１】
次に、本発明の第５実施形態に係る生体信号検出装置について図１３から図１７を参照して説明する。本実施形態に係る生体信号検出装置７０は、頭部Ｈに対向するヘルメット７１の内面に電極部１５及びＶ字部材（突出部）７２が固定されている点において第１実施形態と異なっている。
Ｖ字部材７２は、図１３（ａ）に示すように、ヘルメット７１の装着する方向（Ｅ方向）の電極部１５より前方に配されたＶ字部材７２と電極部１５とが交互にＥ方向に沿って配されている。また、図１３（ｂ）に示すＨ１は頭髪である。
【００４２】
次に、上記のように構成された生体信号検出装置７０の使用方法について説明する。
ヘルメット７１を頭部Ｈに取り付ける動作に伴って電極部１５より前方に配されたＶ字部材７２が、図１３（ｂ）に示すように、電極部１５周辺の頭髪Ｈ１を掻き分け、電極部１５周辺の頭皮Ｈｓが露出され、その部分に電極部１５を接触させる。
すなわち、本実施形態に係る生体信号検出装置７０によれば、頭皮Ｈｓにヘルメット７１を被る動作を行うだけで頭髪が掻き分けられ、頭皮Ｈｓが露出されて電極部１５と頭皮Ｈｓとが直に接触する。したがって、頭皮Ｈｓに電極部を近づける前に、事前に頭髪を掻き分ける作業が不要になり、余計な手間が解消されるので、検査に係る作業を簡略化することができる。
【００４３】
なお、Ｖ字部材７２に代えて、図１４に示すように、電極部１５を覆う形状の突出部７３、あるいは、図１５から図１７に示すように、ヘルメット８０に、V字状ガイド部８１と電極部１５とが装着する方向に沿って交互に配されていても良い。このとき、頭皮Ｈｓに対向するヘルメット８０の面からガイド部８１の頭皮Ｈｓに対抗する面の高さと電極部１５の頭皮Ｈｓに対向する面の高さとは、同等であるか電極部１５の高さが高い方が好ましい。
【００４４】
次に、本発明の第６実施形態に係る生体信号検出装置について図１８を参照して説明する。本実施形態に係る生体信号検出装置９０は、電極部９１の形状及びこの電極部９１を支持するコイルスプリング（可撓性部材）９２を備える点において第１実施形態と異なっている。
電極部９１は、頭部Ｈの表面に接触可能なボール形状となっている。また、コイルスプリング９２は、一端９２ａが電極部９１に接続され、他端９２ｂが電極部９１の本体９１ａに接続された針金状（線状）となっている。ここで、本体９１ａは支持部材１３に支持されている。
【００４５】
次に、上記のように構成された生体信号検出装置９０の使用方法について説明する。
まず、第１実施形態と同様にして、頭部Ｈにヘルメット３を被せ、頭部Ｈに接近させて電極部９１を頭部Ｈに接触させ、さらに接近させる。これにより、コイルスプリング９２が撓み、コイルスプリング９２に支持された電極部９１が頭部Ｈの間に分け入るようにさし込まれ、頭皮Ｈｓに直に接する。
すなわち、本実施形態に係る生体信号検出装置９０によれば、頭皮Ｈｓに接した電極部９１は、撓んだコイルスプリング９２の弾力によって頭皮Ｈｓに押し付けられることになり、さらに簡単な作業で電極部１５と頭皮Ｈｓとを直に接触させることが可能となる。
【００４６】
なお、本実施形態において、図１９に示すように、頭部Ｈに向けて電極部１５を付勢するコイルスプリング（弾性部材）９３と、電極部１５の回りに配置され、電解質液を浸潤されて弾性変形可能な多孔質部材９４とを備えても良い。ここで、コイルスプリング９３は、一端９３ａが電極部１５に接続され、他端９３ｂが支持部材１３に支持された電極部本体１５ａが接続されている。また、多孔質部材９４としては、吸水性に優れるものが好ましく、例えば、綿やフエルト等の不織布やスポンジ、ウレタン等が挙げられる。
【００４７】
この構成の場合には、支持部材１３を頭部Ｈに接近させ、電解質液を浸潤させた多孔質部材９４ならびに電極部１５を頭部Ｈに接触させると、多孔質部材９４から電解質液が滲み出し、さらに支持部材１３を頭部Ｈに接近させると、コイルスプリング９３が弾発力を発揮し、コイルスプリング９３に支持された電極部１５が頭髪の間に分け入るようにさし込まれ、頭皮Ｈｓに直に接する。したがって、頭皮に接した電極部１５は、滲み出した電解質液によって頭皮Ｈｓとの間で良好な導電性が確保されるとともに、コイルスプリング９３の弾発力によって頭皮Ｈｓに押し付けられることになり、確実に電極部１５と頭皮Ｈｓとを接触させることが可能となる。
【００４８】
なお、本発明の技術範囲は上記各実施の形態に限定されるものではなく、本発明の趣旨を逸脱しない範囲において種々の変更を加えることが可能である。
【図面の簡単な説明】
【００４９】
【図１】本発明の第１実施形態に係る生体信号検出装置の全体構成を示す概略図である。
【図２】図１に係る生体信号検出装置において、（ａ）生体信号検出電極が頭皮に接触する前を示し、（ｂ）生体信号検出電極が頭皮に接触した状態を示す要部断面図である。
【図３】図１の生体信号検出電極の変形例を示し、（ａ）生体信号検出電極が頭皮に接触する前を示し、（ｂ）生体信号検出電極が頭皮に接触した状態を示す断面図である。
【図４】図１の生体信号検出電極の他の変形例を示す断面図である。
【図５】図１の生体信号検出電極の他の変形例を示す断面図である。
【図６】図１の生体信号検出電極の他の変形例を示す断面図である。
【図７】本発明の第２実施形態に係る生体信号検出装置の生体信号検出電極の（ａ）は要部断面図を示し、（ｂ）はＸ−Ｘ線矢視における平面図である。
【図８】本発明の第３実施形態に係る生体信号検出装置の生体信号検出電極の（ａ）は要部断面図を示し、（ｂ）は移動部材を示す斜視図である。
【図９】図８の生体信号検出電極が頭皮に接触した状態を示す断面図である。
【図１０】本発明の第４実施形態に係る生体信号検出装置の生体信号検出電極を示す要部断面図である。
【図１１】図１０の第２の回転部材を示す拡大平面図である。
【図１２】図１０の第２の回転部材の他の変形例を示す拡大平面図である。
【図１３】本発明の第５実施形態に係る生体信号検出装置を示す（ａ）は要部断面図であり、（ｂ）は頭皮と電極部とが接触した状態を示す概略図である。
【図１４】図１３の生体信号検出装置の突出部の他の変形例を示す断面図である。
【図１５】図１３の生体信号検出装置の他の変形例を示す断面図である。
【図１６】図１４の生体信号検出装置の端部を示す要部断面図である。
【図１７】図1４の生体信号検出装置の頭部に対向するヘルメットの内面を示す平面図である
【図１８】本発明の第６実施形態に係る生体信号検出装置を示す概略図である。
【図１９】図１７の生体信号検出装置の他の変形例を示す（ａ）は要部断面図であり、（ｂ）は電極部の内部構造の断面図であり、（ｃ）は（ｂ）のＸ−Ｘ線矢視における平面図である。
【符号の説明】
【００５０】
Ｈ  頭部
１，７０，９０  生体信号検出装置
３，７１，８０  ヘルメット（装着部材）
５，４０，５０，６０  生体信号検出電極
１３，５１  支持部材
１５，９１  電極部
１７  移動部材
１９，４１  揺動機構
２７  コイルスプリング（付勢手段）
２９  突出部
３１  弾性部材
３３  球状部
５６  コイルスプリング（付勢部材）
６３  回動機構
７２  Ｖ字部材（突出部）
８１  ガイド部（突出部）
９２  コイルスプリング（可撓性部材）
９３  コイルスプリング（弾性部材）
９４  多孔質部材
【図１】
2005152415.tif 000003
【図２】
2005152415.tif 000004
【図３】
2005152415.tif 000005
【図４】
2005152415.tif 000006
【図５】
2005152415.tif 000007
【図６】
2005152415.tif 000008
【図７】
2005152415.tif 000009
【図８】
2005152415.tif 000010
【図９】
2005152415.tif 000011
【図１０】
2005152415.tif 000012
【図１１】
2005152415.tif 000013
【図１２】
2005152415.tif 000014
【図１３】
2005152415.tif 000015
【図１４】
2005152415.tif 000016
【図１５】
2005152415.tif 000017
【図１６】
2005152415.tif 000018
【図１７】
2005152415.tif 000019
【図１８】
2005152415.tif 000020
【図１９】
2005152415.tif 000021